(57)【要約】      （修正有）【課題】骨補填空間を形成するように副鼻腔粘膜を垂直に移動するための歯移植用機器群を提供する。【解決手段】歯移植用機器群は、骨ドリル及び副鼻腔スクレーパー２を備える。骨ドリルは副鼻腔粘膜を露出させるよう、人工歯根を移植待ちの歯欠損箇所で歯槽骨を上向きに穿孔するためのドリルビットを有する。副鼻腔スクレーパー２は把持本体２０及びスクレーパーヘッド２２を有し、スクレーパーヘッド２２の一端には、歯欠損箇所の上方に骨補填空間を形成するよう、骨ドリルが穿孔した孔を介して露出した副鼻腔粘膜を剥離して内向きに移動するためのトグル部２２０が形成される。トグル部２２０とスクレーパーヘッド２２とが第１角度θ１をなし、第１角度θ１が４５度〜１３５度にある。【選択図】図１
0003227684.tif 000002
【実用新案登録請求の範囲】
【請求項１】
骨補填空間を形成するように副鼻腔粘膜を垂直に移動するための歯移植用機器群であって、
副鼻腔粘膜を露出させるよう、人工歯根を移植待ちの歯欠損箇所で歯槽骨を上向きに穿孔するためのドリルビットを有する骨ドリルと、
把持本体及びスクレーパーヘッドを有し、前記スクレーパーヘッドの一端には、歯欠損箇所の上方に骨補填空間を形成するよう、前記骨ドリルが穿孔した孔を介して露出した副鼻腔粘膜を剥離して内向きに移動するためのトグル部が形成され、前記トグル部と前記スクレーパーヘッドとが第１角度をなし、前記第１角度が４５度〜１３５度にある副鼻腔スクレーパーと、を備える骨補填空間を形成するように副鼻腔粘膜を垂直に移動するための歯移植用機器群。
【請求項２】
前記第１角度が４５度、９０度又は１３５度である請求項１に記載の骨補填空間を形成するように副鼻腔粘膜を垂直に移動するための歯移植用機器群。
【請求項３】
前記スクレーパーヘッドと前記把持本体とが第２角度をなし、前記第２角度が１２０度〜１７０度にある請求項１に記載の骨補填空間を形成するように副鼻腔粘膜を垂直に移動するための歯移植用機器群。
【請求項４】
前記骨ドリルは更に前記ドリルビットに設けられるストッパリングを備え、骨ドリルのドリルビットが穿孔した深さを制限するために、前記ストッパリングが前記ドリルビットに分離可能に設けられる請求項１に記載の骨補填空間を形成するように副鼻腔粘膜を垂直に移動するための歯移植用機器群。
【請求項５】
前記ストッパリングは、更に、前記骨ドリルのドリルビットを前記ストッパリング内に固定するための位置決め部材を備える請求項４に記載の骨補填空間を形成するように副鼻腔粘膜を垂直に移動するための歯移植用機器群。
【請求項６】
前記ドリルビットを前記ストッパリング内に固定し又はその固定を解除するよう、前記位置決め部材は前記ストッパリングの壁に貫通設置され、且つ前記壁に垂直である方向に沿って移動することができる請求項５に記載の骨補填空間を形成するように副鼻腔粘膜を垂直に移動するための歯移植用機器群。
【請求項７】
更に、前記ストッパリングが前記骨ドリルのドリルビットに係合される位置の調整を補助するための補助調整装置を備える請求項４に記載の骨補填空間を形成するように副鼻腔粘膜を垂直に移動するための歯移植用機器群。
【請求項８】
前記補助調整装置は、
前記補助調整装置の内部に形成され、且つ各孔路が前記補助調整装置の外面に開口を開設した複数の異なる長さの孔路と、
前記複数の孔路のうちの少なくとも１つの長さを示すために、前記補助調整装置の外面に形成される少なくとも１つのマーカーと、を備え、
それによって、前記ドリルビットの穿孔深さを制限するよう、前記骨ドリルのドリルビットが穿孔しようとする深さに基づき、前記骨ドリルのドリルビットを前記深さに対応する長さを有する孔路内に置いて、更に前記ストッパリングを前記骨ドリルのドリルビットにおける前記孔路の開口に隣接する位置に設けられる請求項７に記載の骨補填空間を形成するように副鼻腔粘膜を垂直に移動するための歯移植用機器群。
【請求項９】
骨補填空間を形成するように副鼻腔粘膜を垂直に移動するための副鼻腔スクレーパーであって、
把持本体及びスクレーパーヘッドを備え、前記スクレーパーヘッドの一端にトグル部が形成され、前記トグル部と前記スクレーパーヘッドとが第１角度をなし、前記第１角度が４５度〜１３５度にあり、前記トグル部は骨ドリルが人工歯根を移植待ちの歯欠損箇所で歯槽骨を穿孔するための箇所であり、歯欠損箇所の上方に骨補填空間を形成するよう、露出した副鼻腔粘膜を剥離して内向きに移動する、骨補填空間を形成するように副鼻腔粘膜を垂直に移動するための副鼻腔スクレーパー。
【請求項１０】
前記スクレーパーヘッドと前記把持本体とが第２角度をなし、前記第２角度が１２０度〜１７０度にある請求項９に記載の骨補填空間を形成するように副鼻腔粘膜を垂直に移動するための副鼻腔スクレーパー。
【考案の詳細な説明】
【技術分野】
【０００１】
本考案は副鼻腔スクレーパーを備える歯移植用機器群に関し、特に骨補填空間を形成するように副鼻腔粘膜を垂直に移動するための歯移植用機器群に関し、該歯移植用機器群は副鼻腔粘膜を露出させるように骨ドリルにより人工歯根を移植待ちの歯欠損箇所で歯槽骨を上向きに穿孔して、歯欠損箇所の上方に骨補填空間を形成するように副鼻腔スクレーパーにより露出した副鼻腔粘膜を剥離して内向きに移動する。
【背景技術】
【０００２】
近年、歯移植技術の急速な発展に伴い、人工歯の移植は徐々に従来の歯欠損治療方式を代替して広まりつつある。人工歯の移植は歯欠損箇所で移植体を外科手術で歯槽骨の歯欠損領域内に人工歯根として移植して、移植体と歯槽骨とが緊密に結合された後、移植体ベースに歯冠を植え込む。移植体が深く歯槽骨内に植え込まれ、且つ歯槽骨に緊密に結合されるため、その強度は通常咀嚼のニーズを満たすことができ、機能又は外観の面でいずれも天然歯に匹敵する。
【０００３】
以上のように、移植体が深く歯槽骨内に植え込まれて、歯槽骨に緊密に結合されるのが好ましいため、歯槽骨の状態が悪い（例えば、歯槽骨が萎縮する）場合、植え込まれた人工歯根が部分的に露出し、このため、歯槽骨に緊密に結合されることが困難であり、更に歯移植手術に失敗する恐れがある。従って、骨補填を行う必要があるかどうかを決定するよう、歯移植手術を行う前に、まず歯欠損箇所での歯槽骨の状況を評価する必要がある。
【０００４】
骨補填は側窓式副鼻腔リフト手術で行われることが知られている。図３及び図５Ａ〜５Ｂに示される。図３は上顎の生理的構造を示す断面模式図であり、歯Ａ１、歯槽骨Ａ２、歯肉Ａ３、副鼻腔Ａ４及び副鼻腔粘膜Ａ５の相対位置を示す。図５Ａ〜５Ｂは既知の側窓式副鼻腔リフト手術を示す模式図であり、歯欠損箇所の外側歯肉から行われる。実施時、図５Ａに示すように、歯肉皮弁Ａ３０下方の歯槽骨Ａ２を露出させるよう、まず歯欠損箇所の外側歯肉皮弁Ａ３０を切り離して開く。その後、図５Ｂに示すように、その下の副鼻腔粘膜Ａ５を露出させるよう、更に骨ドリルにより露出した歯槽骨Ａ２から骨孔Ａ６を穿孔する。最後に、更に適切な機器により露出した副鼻腔粘膜を歯槽骨から剥離して内向きに移動して、骨補填を行うように骨粉を入れるための骨補填空間を形成する。
【考案の概要】
【考案が解決しようとする課題】
【０００５】
歯欠損箇所での歯槽骨の状態が悪いという問題に対して、側窓式副鼻腔リフト手術で骨補填を行う方式があることが知られているが、歯欠損箇所の外側歯肉から行われるため、開くべき傷口の面積がより大きく、このため、患者がより激しい不快感を持ちやすく、手術の複雑度も増加してしまう。従って、骨補填を行うとき、どのように開くべき傷口の面積を大幅に減少させて、手術の複雑度を減少することにより、患者の不快感を大幅に軽減するかが、本考案者の研究の方向である。
【０００６】
本考案の主な目的は骨補填空間を形成するように副鼻腔粘膜を垂直に移動するための歯移植用機器群を提供することであり、該歯移植用機器群は人工歯根を移植待ちの歯欠損箇所から直接垂直に上向きに骨補填手術を行うことにより、骨補填手術及び歯移植手術を同じ位置で行うものであり、側窓式副鼻腔リフト手術で骨補填を行う方式に比べて、開いた傷口の面積を大幅に減少し、患者の不快感を著しく軽減することができるだけでなく、手術の複雑度を低減することもできる。
【課題を解決するための手段】
【０００７】
上記目的を実現するために、本考案は骨補填空間を形成するように副鼻腔粘膜を垂直に移動するための歯移植用機器群を提供し、該歯移植用機器群は骨ドリル及び副鼻腔スクレーパーを備える。前記骨ドリルは副鼻腔粘膜を露出させるよう、人工歯根を移植待ちの歯欠損箇所で歯槽骨を上向きに穿孔するためのドリルビットを有し、前記副鼻腔スクレーパーは把持本体及びスクレーパーヘッドを有し、前記スクレーパーヘッドの一端には、歯欠損箇所の上方に骨補填空間を形成するよう、前記骨ドリルが穿孔した孔を介して露出した副鼻腔粘膜を剥離して内向きに移動するためのトグル部が形成され、前記トグル部と前記スクレーパーヘッドとが第１角度をなし、前記第１角度が４５度〜１３５度にある。
【０００８】
実施時、前記トグル部と前記スクレーパーヘッドとがなす第１角度は４５度、９０度又は１３５度である。
【０００９】
実施時、前記スクレーパーヘッドと前記把持本体とが第２角度をなし、前記第２角度が１２０度〜１７０度にある。
【００１０】
実施時、前記骨ドリルは更に前記ドリルビットに設けられるストッパリングを備え、骨ドリルのドリルビットが穿孔した深さを制限するために、前記ストッパリングが前記ドリルビットに分離可能に設けられる。
【００１１】
実施時、前記ストッパリングは、更に、前記骨ドリルのドリルビットを前記ストッパリング内に固定するための位置決め部材を備える。一実施例では、前記ドリルビットを前記ストッパリング内に固定し又はその固定を解除するよう、前記位置決め部材は前記ストッパリングの壁に貫通設置され、且つ前記壁に垂直である方向に沿って移動することができる。
【００１２】
実施時、骨補填空間を形成するように副鼻腔粘膜を垂直に移動するための歯移植用機器群は、更に、前記ストッパリングが前記骨ドリルのドリルビットに係合される位置の調整を補助するための補助調整装置を備える。一実施例では、前記補助調整装置は複数の異なる長さの孔路及び少なくとも１つのマーカーを備え、前記複数の異なる長さの孔路が前記補助調整装置の内部に形成され、且つ各孔路が前記補助調整装置の外面に開口を開設し、前記複数の孔路のうちの少なくとも１つの長さを示すために、前記少なくとも１つのマーカーが前記補助調整装置の外面に形成され、それによって、前記骨ドリルのドリルビットが穿孔しようとする深さに基づき、前記骨ドリルのドリルビットを前記深さに対応する長さを有する孔路内に置いて、更に前記ストッパリングを前記骨ドリルのドリルビットにおける前記孔路の開口に隣接する位置に設ければ、ドリルビットの穿孔深さを制限することができる。
【００１３】
本考案は更に骨補填空間を形成するように副鼻腔粘膜を垂直に移動するための副鼻腔スクレーパーを提供し、該副鼻腔スクレーパーは把持本体及びスクレーパーヘッドを備え、前記スクレーパーヘッドの一端にトグル部が形成され、前記トグル部と前記スクレーパーヘッドとが第１角度をなし、前記第１角度が４５度〜１３５度にあり、前記トグル部は骨ドリルが人工歯根を移植待ちの歯欠損箇所で歯槽骨を穿孔するための箇所であり、歯欠損箇所の上方に骨補填空間を形成するよう、露出した副鼻腔粘膜を剥離して内向きに移動する。
【００１４】
実施時、前記スクレーパーヘッドと前記把持本体とが第２角度をなし、前記第２角度が１２０度〜１７０度にある。
【００１５】
本考案を更に理解するために、以下に好適な実施例を挙げて、図面、図面番号と組み合わせて、本考案の具体的な構成内容及びその実現した効果を詳しく説明する。
【図面の簡単な説明】
【００１６】
【図１】本考案の骨補填空間を形成するように副鼻腔粘膜を垂直に移動するための歯移植用機器群における副鼻腔スクレーパーの異なる実施形態を示す図である。
【図２】本考案の骨補填空間を形成するように副鼻腔粘膜を垂直に移動するための歯移植用機器群における骨ドリル及び補助調整装置の使用状態を示す図である。
【図３】上顎の生理的構造の断面模式図である。
【図４】本考案の骨補填空間を形成するように歯移植用機器により副鼻腔粘膜を移動する模式図である。
【図５】既知の側窓式副鼻腔リフト手術を示す模式図である。
【考案を実施するための形態】
【００１７】
本考案は骨補填空間を形成するように副鼻腔粘膜を垂直に移動するための歯移植用機器群及び副鼻腔スクレーパーを提供する。該歯移植用機器群は骨ドリル及び副鼻腔スクレーパーを備える。該骨ドリルは副鼻腔粘膜を露出させるよう、人工歯根を移植待ちの歯欠損箇所で歯槽骨を上向きに穿孔するためのドリルビットを有し、該副鼻腔スクレーパーは把持本体及びスクレーパーヘッドを有し、該スクレーパーヘッドの一端には、歯欠損箇所の上方に骨補填空間を形成するよう、前記骨ドリルが穿孔した孔を介して露出した副鼻腔粘膜を剥離して内向きに移動するためのトグル部が形成され、該トグル部と該スクレーパーヘッドとが第１角度をなし、該第１角度が４５度〜１３５度にある。
【００１８】
一実施例では、本考案の骨補填空間を形成するように副鼻腔粘膜を垂直に移動するための歯移植用機器群は骨ドリル１、副鼻腔スクレーパー２及び補助調整装置３を備える。図１Ａ〜１Ｃには前記副鼻腔スクレーパー２の異なる実施形態を示す。図１Ａに示すように、副鼻腔スクレーパー２は把持本体２０及びスクレーパーヘッド２２を有し、前記スクレーパーヘッド２２の一端にトグル部２２０が形成され、且つ前記トグル部２２０と前記スクレーパーヘッド２２とがなす第１角度θ１は４５度である。図１Ｂに示される副鼻腔スクレーパー２については、そのトグル部２２０とスクレーパーヘッド２２とがなす第１角度θ１は１３５度である。図１Ｃに示すように、副鼻腔スクレーパー２は同様に把持本体２０、スクレーパーヘッド２２及びトグル部２２０等の構造を有し、そのトグル部２２０とスクレーパーヘッド２２とがなす第１角度θ１のみが９０度であり、且つスクレーパーヘッド２２と把持本体２０とが第２角度をなし、前記第２角度が１２０度〜１７０度にあってもよく、本実施例において１３５度である。
【００１９】
図２は前記骨ドリル１及び補助調整装置３の使用状態を示す図である。前記骨ドリル１は、ドリルビット１０と、該ドリルビット１０に設けられるストッパリング１２とを有する。骨ドリル１のドリルビット１０が穿孔した深さを制限するよう、前記ストッパリング１２が前記ドリルビット１０に分離可能に設けてもよい。なお、前記ストッパリング１２には、更に、前記骨ドリル１のドリルビット１０を前記ストッパリング１２内に固定するための位置決め部材１２２が設けられる。
【００２０】
本実施例では、前記ストッパリング１２の壁１２０に貫通孔が設けられ、貫通孔内にねじ山が設けられる。該位置決め部材１２２は壁を通って該ストッパリング１２内に入る（つまり、壁１２０に垂直である方向に沿って移動する）ように貫通孔内に螺合されるねじであり、それによって、ドリルビット１０をストッパリング１２内に固定することができる。実施時、前記位置決め部材とストッパリングとの結合は螺合方式を用いる以外に、挟合、弾性結合、磁気吸着等の結合方式を用いてもよい。
【００２１】
なお、図２に示すように、前記補助調整装置３はストッパリング１２が骨ドリル１のドリルビット１０に係合される位置の調整を補助することに用いられる。本実施例では、前記補助調整装置３は外面３０、複数の異なる長さの孔路３２、孔路の開口３４、マーカー３６及び階段部３８を備える。前記複数の異なる長さの孔路３２が該補助調整装置３の内部に形成され、且つ各孔路が該補助調整装置３の外面３０（側方外面）に開口３４を開設した。それぞれ孔路の長さを示すために、前記補助調整装置３が外面３０（頂部外面）に更に複数のマーカーを設ける。この実施例では、前記マーカーと孔路の開口とがそれぞれ側方及び頂部の外面に位置し、実施時、上記両方がいずれも側方外面に設置されてもよい。
【００２２】
前記補助調整装置３の階段部３８が隣接する孔路３２の開口３４箇所に設置され、且つ該階段部３８には、孔路の開口３４に対応する、ストッパリング１２を収容するための凹溝３８０が設けられる。操作時、まず骨ドリル１のドリルビット１０が穿孔しようとする深さに基づき、マーカー３６に応じて対応する長さを有する孔路３２を選択する。ドリルビット１０を該孔路３２内に置いた後、ストッパリング１２をドリルビット１０における孔路３２の開口３４に隣接する位置に移動して、該階段部３８の凹溝３８０内に収容し、更に該位置決め部材１２２を利用してドリルビット１０をストッパリング１２内に固定する。このとき、ストッパリングがドリルビットに係合される位置はドリルビットが穿孔しようとする深さに適合する。
【００２３】
図４Ａ〜４Ｂは本考案の歯移植用機器により副鼻腔粘膜を移動して骨補填空間を形成する手術を示す模式図である。手術前、まず図像学検査結果（例えば、Ｘ線フィルム）に基づき、人工歯根を移植待ちの歯欠損箇所で上向きに穿孔すべき深さ（すなわち、該箇所での副鼻腔粘膜の下方の歯槽骨の厚さ）を決定する。その後、この深さに基づき、補助調整装置３を利用してストッパリング１２を骨ドリル１のドリルビット１０における適切な位置に係合する。手術を行うとき、図４Ａに示すように、副鼻腔粘膜Ａ５を露出させるよう、まず前記骨ドリル１におけるストッパリング１２が設けられるドリルビット１０により人工歯根を移植待ちの歯欠損箇所で歯槽骨Ａ２を上向きに穿孔する。穿孔期間に、拡大鏡（未図示）を利用して副鼻腔粘膜が露出したかどうかを観察してもよい。
【００２４】
その後、図４Ｂに示すように、骨補填空間Ａ７を形成するよう、前記副鼻腔スクレーパー２により穿孔した骨孔Ａ６を介してその一端のトグル部２２０を利用して副鼻腔粘膜Ａ５を歯槽骨Ａ２から分離し、更にそれを徐々に内向きに移動する。実施時、順にトグル部とスクレーパーヘッドとが４５度、９０度及び１３５度をなす３種類の副鼻腔スクレーパーを利用して副鼻腔粘膜を歯槽骨から剥離して徐々に内向きに移動する。ところが、実際の状況に応じて、上記３種類の副鼻腔スクレーパーのうちのいずれか１つ又はいずれか２つを選択して行ってもよい。
【００２５】
従って、本考案は以下の利点を有する。
１、本考案に係る骨補填空間を形成するように副鼻腔粘膜を垂直に移動するための歯移植用機器群は副鼻腔粘膜を露出させるように骨ドリルにより人工歯根を移植待ちの歯欠損箇所で歯槽骨を上向きに穿孔する。人工歯根を移植待ちの歯欠損箇所で直接垂直に上向きに骨補填手術を行うことにより、骨補填手術及び歯移植手術を同じ位置で実施することができ、側窓式副鼻腔リフト手術で骨補填を行う方式に比べて、開いた傷口の面積を大幅に減少して、患者の不快感を著しく軽減することができるだけでなく、手術の複雑度を低減することもできる。
２、本考案に係る骨補填空間を形成するように副鼻腔粘膜を垂直に移動するための歯移植用機器群は副鼻腔スクレーパーにより副鼻腔粘膜を剥離して内向きに移動し、該副鼻腔スクレーパーのトグル部とスクレーパーヘッド、スクレーパーヘッドと把持本体とが１つの角度で設置されてもよく、これにより、副鼻腔スクレーパーの使用上の利便性と柔軟性を向上させる。
３、本考案に係る骨補填空間を形成するように副鼻腔粘膜を垂直に移動するための歯移植用機器群は骨ドリルのドリルビットが歯槽骨を穿孔した深さを制限するようにストッパリングを骨ドリルのドリルビットに設け、且つ、更に、ドリルビットが穿孔しようとする深さに基づいてストッパリングがドリルビットに設けられる位置を調整するための補助調整装置を提供し、これにより、穿孔を補助して安全性を向上させる。
【００２６】
説明されるべきは、以上の説明は本考案の具体的な実施例及び採用する技術的手段であり、本明細書の開示又は指導に基づき多くの変更や修正を派生して導き出すことができ、これらの変更や修正は本考案の構想に対して行われた等価変更であると見なされてもよく、生じた作用は明細書及び図面に含まれる実質的な精神を逸脱することがなく、本考案の技術範囲内に含まれると見なされるべきである。
【００２７】
要するに、以上に開示される内容に基づき、本考案は実用新案の所望の目的を実現することができ、骨補填空間を形成するように副鼻腔粘膜を垂直に移動するための歯移植用機器群及び副鼻腔スクレーパーを提供し、産業上での利用価値が高く、そこで法により新しい実用新案登録出願を提出する。
【符号の説明】
【００２８】
１  骨ドリル
１０  ドリルビット
１２  ストッパリング
１２０  壁
１２２  位置決め部材
２  副鼻腔スクレーパー
２０  把持本体
２２  スクレーパーヘッド
２２０  トグル部
３  補助調整装置
３０  外面
３２  孔路
３４  開口
３６  マーカー
３８  階段部
３８０  凹溝
Ａ１  歯
Ａ２  歯槽骨
Ａ３  歯肉
Ａ３０  歯肉皮弁
Ａ４  副鼻腔
Ａ５  副鼻腔粘膜
Ａ６  骨孔
Ａ７  骨補填空間
θ１  第１角度
θ２  第２角度
【図１】
0003227684.tif 000003
【図２】
0003227684.tif 000004
【図３】
0003227684.tif 000005
【図４】
0003227684.tif 000006
【図５】
0003227684.tif 000007